(57)【要約】【課題】　壁アウトレットにプラグ接続される場合に、プラグ接続される電気アウトレット（単数または複数）を使用する性能が、ディスペンサの幾何学形状または他の要因によって低減または排除されること。【解決手段】　複数アウトレットの蒸気ディスペンスデバイスは、電気レセプタクルと界面を形成するように構成され、その結果、該アウトレットの機能性は、実質的に維持される。本発明の一局面によると、蒸気ディスペンスデバイスは、少なくとも１つのアウトレットを有する電気レセプタクルに接続されように構成される。蒸気ディスペンスデバイスは、第一のデバイスアウトレットおよび第二のデバイスアウトレットを有するハウジングを含み、該ハウジングは、該アウトレットに付着される。【選択図】　図１
2004089711.tif 000002
【特許請求の範囲】
【請求項１】
　第一のアウトレットを有する電気レセプタクルに接続されるように構成された蒸気ディスペンスデバイスであって、該蒸気ディスペンスデバイスは、
　第一のデバイスアウトレットおよび第二のデバイスアウトレットを有するハウジングであって、該ハウジングは、該第一のアウトレットに取り外し可能に接続されるように構成される、ハウジングを備える、蒸気ディスペンスデバイス。
【請求項２】
　前記第一のデバイスアウトレットに対応し、かつ、前記電気レセプタクルの前記第一のアウトレットに挿入されるように構成された第一のプラグをさらに含む、請求項１に記載のデバイス。
【請求項３】
　前記第二のデバイスアウトレットに対応し、かつ、前記電気レセプタクルの第二のアウトレットに挿入されるように構成された第二のプラグをさらに含む、請求項２に記載のデバイス。
【請求項４】
　前記第一および第二のデバイスアウトレットに電気的に接続され、かつ、前記電気レセプタクルの前記第一のアウトレットに挿入されるように構成された第一のプラグをさらに含む、請求項１に記載のデバイス。
【請求項５】
　前記ハウジングは、約５．０ｃｍ未満の厚さを有する、請求項１に記載のデバイス。
【請求項６】
　前記ハウジングは、芳香ディスペンスデバイスをさらに含む、請求項１に記載のデバイス。
【請求項７】
　能動的な物質送達システムをさらに含む、請求項１に記載のデバイス。
【請求項８】
　受動的な物質送達システムをさらに含む、請求項１に記載のデバイス。
【請求項９】
　前記ハウジングに除去可能に付着された再充填成分をさらに含む、請求項１に記載のデバイス。
【請求項１０】
　第一のアウトレットおよび第二のアウトレットを有する電気レセプタクルに接続されるように構成されたタイプの蒸気ディスペンスデバイスと結び付いての使用のための再充填成分であって、該再充填成分は、
　該蒸気ディスペンスデバイスに除去可能に付着するように構成された再充填本体であって、該再充填本体は、該第一のアウトレットおよび該第二のアウトレットによって規定されたアウトレットパターンの少なくとも２つの側面を包囲するように構成される、再充填本体と、
　該再充填本体内に提供された揮発物質と
　を備える再充填成分。
【請求項１１】
　前記揮発物質は、オイルベースの液体を含み、前記再充填本体は、少なくとも１つの芯構造をさらに含む、請求項１０に記載の再充填成分。
【請求項１２】
　前記再充填本体は、概して、「Ｕ」形状であり、前記再充填本体は、少なくとも２つの芯構造および少なくとも１つの放出器をさらに含む、請求項１０に記載の再充填成分。
【発明の詳細な説明】
【技術分野】
【０００１】
　本発明は、概して、蒸気ディスペンサデバイスに関し、より詳細には、複数アウトレット蒸気ディスペンサデバイスに関する。
【背景技術】
【０００２】
　蒸気ディスペンサ製品は、典型的には、揮発物質およびその揮発物質の周囲空気への蒸発を促進するように構成された輸送システムを含む。例えば、いくつかのシステムでは、リザーバボトルに液体が含まれるが、他のシステムでは、蝋状（ｗａｘ）物質が用いられる。壁アウトレットから突出するハウジングは、揮発物質の環境への蒸発を促進する。このようなデバイスでは、加熱要素が熱エネルギーを、芯（ｗｉｃｋ）に含まれる液体の分子に送達し得る。このような装置は、従来の電気アウトレットにプラグ接続され、これにより、加熱要素は、液体を加熱し、芯に引き上げられた液体を揮発させる。
【発明の開示】
【発明が解決しようとする課題】
【０００３】
　この種の既知の蒸気ディスペンサデバイスは、多くの点で不十分であり得る。例えば、壁アウトレットと界面を形成する種々の蒸気ディスペンサデバイス（例えば、換気装置（ｒｏｏｍ　ｆｒｅｓｈｎｅｒ）その他）は、安定性に欠け得、所望でない目障りであり得、および／または、１以上の壁アウトレットへの接近および使用を妨害し得る。すなわち、既知の蒸気ディスペンサの一つの不利益な点は、壁アウトレットにプラグ接続される場合に、プラグ接続される電気アウトレット（単数または複数）を使用する性能が、ディスペンサの幾何学形状または他の要因によって低減または排除されることである。
【０００４】
　このため、従来技術のこれらおよび他の制限を克服する蒸気ディスペンスデバイスに対する必要性がある
【課題を解決するための手段】
【０００５】
　本発明が従来技術の不利益に注意を向ける方法が以下により詳細に議論されるが、本発明は、電気レセプタクルと界面を形成し、そのアウトレットの機能性が実質的に維持されるように構成された、複数アウトレットの蒸気ディスペンスデバイスを提供する。本発明の一つの局面によると、蒸気ディスペンスデバイスは、第一のアウトレットおよび第二のアウトレットを有する電気レセプタクルと接続するように構成される。蒸気ディペンスデバイスは、第一のデバイスのアウトレットおよび第二のデバイスのアウトレットを有するハウジングを含み、前記ハウジングは、該第一のアウトレットおよび該第二のアウトレットに接続可能である。
【０００６】
　本発明のより完全な理解は、図面を結び付けて考慮された場合に詳細な説明および請求の範囲を参照することによって引き出され得る。ここで、同様の参照番号は、図面全体にわたって類似の要素参照する。
【０００７】
　　本発明による蒸気ディスペンスデバイスは、第一のアウトレットを有する電気レセプタクルに接続されるように構成された蒸気ディスペンスデバイスであって、該蒸気ディスペンスデバイスは、
　第一のデバイスアウトレットおよび第二のデバイスアウトレットを有するハウジングであって、該ハウジングは、該第一のアウトレットに取り外し可能に接続されるように構成される、ハウジングを備え、それにより上記目的が達成される。
【０００８】
　前記第一のデバイスアウトレットに対応し、かつ、前記電気レセプタクルの前記第一のアウトレットに挿入されるように構成された第一のプラグをさらに含んでもよい。
【０００９】
　前記第二のデバイスアウトレットに対応し、かつ、前記電気レセプタクルの第二のアウトレットに挿入されるように構成された第二のプラグをさらに含んでもよい。
【００１０】
　前記第一および第二のデバイスアウトレットに電気的に接続され、かつ、前記電気レセプタクルの前記第一のアウトレットに挿入されるように構成された第一のプラグをさらに含んでもよい。
【００１１】
　前記ハウジングは、約５．０ｃｍ未満の厚さを有してもよい。
【００１２】
　前記ハウジングは、芳香ディスペンスデバイスをさらに含んでもよい。
【００１３】
　能動的な物質送達システムをさらに含んでもよい。
【００１４】
　受動的な物質送達システムをさらに含んでもよい。
【００１５】
　前記ハウジングに除去可能に付着された再充填成分をさらに含んでもよい。
【００１６】
　本発明による再充填成分は、第一のアウトレットおよび第二のアウトレットを有する電気レセプタクルに接続されるように構成されたタイプの蒸気ディスペンスデバイスと結び付いての使用のための再充填成分であって、該再充填成分は、該蒸気ディスペンスデバイスに除去可能に付着するように構成された再充填本体であって、該再充填本体は、該第一のアウトレットおよび該第二のアウトレットによって規定されたアウトレットパターンの少なくとも２つの側面を包囲するように構成される、再充填本体と、該再充填本体内に提供された揮発物質とを備え、それにより上記目的が達成される。
【００１７】
　前記揮発物質は、オイルベースの液体を含み、前記再充填本体は、少なくとも１つの芯構造をさらに含んでもよい。
【００１８】
　前記再充填本体は、概して、「Ｕ」形状であり、前記再充填本体は、少なくとも２つの芯構造および少なくとも１つの放出器をさらに含んでもよい。
【発明の効果】
【００１９】
　芳香送達システムは、ハウジングの形状および大きさを有するように適切に構成され、その結果、それは、蒸気ディスペンスデバイスの近傍の人によって気付かれる可能性を最小にすることを容易にする方法でハウジングに集合され得る。
【発明を実施するための最良の形態】
【００２０】
　以下の説明は、本発明のみの例示の実施形態の説明であり、いかなる方法においても本発明の範囲、適用性または構成を制限することは意図されない。むしろ、以下の説明は、本発明の種々の実施形態を実行するための都合の良い説明を提供することが意図される。明らかにされるように、添付の請求の範囲に示される本発明の範囲から逸脱することなく、種々の変更がこれらの実施形態において記載される要素の機能および構成においてなされ得る。例えば、本発明の絡みにおいて、本発明の方法および装置は、換気蒸気システムと結び付いて特定の使用を見出す。しかしながら、概して、昆虫駆散薬、脱臭剤、清浄剤、および／または同種のもの等の種々の揮発物質が、本発明に従う使用に適している。
【００２１】
　一般に、本発明は、例えば、標準的なデュアルアウトレット、クワッドアウトレット、またはこのような他の電気レセプタクルと界面を形成して、蒸気ディスペンスデバイスと界面を形成する電気レセプタクルの機能性を実質的に維持（または、実際に、増強）するように構成された、複数アウトレット蒸気ディスペンスデバイス（例えば、デュアルアウトレット換気装置）を提供する。
【００２２】
　図１は、電気レセプタクル１６０に接続するように構成された、例示的な蒸気ディスペンスデバイス１００を、概略的に示す。一般的に、蒸気ディスペンスデバイス１００は、ハウジング１１０、少なくとも１つのプラグ１４１、２つのデバイスアウトレット１３１および１３２、および芳香送達システム１２０を適切に含む。
【００２３】
　図１、２および３を参照して、かつ、本発明の例示の実施形態に従うと、ハウジング２１０は、厚さＴだけ離れた前部表面２１１および後部表面３１２を含む。前部２１１および後部３１２は、概して、接合電気レセプタクル１６０（および／または電気レセプタクル１６０に関連する面板）の幾何学形状に一致し得るか、または、任意の都合の良い形状を有し得る。例えば、レセプタクルハウジング２１０は、二重の電気レセプタクル（例えば、１６０）のための標準の矩形壁板とほぼ同一のサイズであるように構成され得る。電気レセプタクル１６０としてハウジング１１０の高さおよび幅に対してほど類似寸法の使用、および狭い厚さＴの使用は、蒸気ディスペンスデバイス１００の視感度を低減する（または「個別性」を増加させる）ときにおいて助けとなる。厚さＴは、任意の適切な設計標準に従って選択され得る。一実施形態によると、例えば、Ｔは、１．０と８．０ｃｍとの間であり、好適には、約５．０ｃｍ未満である。別の実施形態によると、Ｔは、約３．０ｃｍ未満であり、好適には、約２．５ｃｍである。
【００２４】
　本発明の一実施形態によると、蒸気ディスペンスデバイス１００は、電気レセプタクル１６０に接続された場合に、デバイス近傍の人にデバイスが目立たないようにし、かつ、電気レセプタクル１６０の１以上のアウトレットへの機能的な接近を可能にするために、蒸気ディスペンスデバイス１００が概して標準的な壁アウトレットに沿うように構成される。
【００２５】
　これに関して、示された実施形態は、一般的な直線の形状によって特徴付けられるが、本発明はそのように制限されないことが理解される。種々の例示の実施形態では、前部２１１および後部３１２の表面は、互いに、および／または電気レセプタクル１６０とは高さおよび幅において異なり得る。例えば、ハウジング１１０は、ほぼ二重電気レセプタクルの大きさであり、かつ、さらに、４部分電気レセプタクル（例えば、図７参照）の半分に接続され得る。さらに、ハウジングは、ハート型、星型その他等の種々の機能的な形状に構成され得る。
【００２６】
　ハウジング１１０は、電気レセプタクル１６０に接続するために、種々の方法で構成され得る。本発明の例示の実施形態では、ハウジング１１０は、１以上のプラグ（例えば、図１に示されるプラグ１４１および１４２）を介してレセプタクル１６０に接続可能であるように構成される。より具体的には、図３を参照して、第一のプラグ３４１がハウジング２１０の後部表面３１２から延びるように適切に構成される。第二のプラグ３４２も、後部表面３１２から延びるように構成され得る。
【００２７】
　示された実施形態では、第一および／または第二のプラグ（単数または複数）３４１および３４２は、標準的な二重電気レセプタクルに挿入されるように構成された、従来の（および／または標準化された）２つの突起（ｐｒｏｎｇ）プラグ（単数または複数）を含む。しかしながら、一般に、プラグは、電気レセプタクル１６０内部の対応する構造と界面を形成するように構成された、任意の適切な雄性（ｍａｌｅ）または雌性（ｆｅｍａｌｅ）成分（電気的に機能的であるか非機能的であるかどうか）を含み得る。
【００２８】
　ハウジング１１０はまた、例えば、電気レセプタクルの中央または端部に位置付けられた、適切な固定具（ｆａｓｔｎｅｒ）（例えば、従来のネジ）を介して電気レセプタクル１６０に接続され得る。別の例では、クリップ、ベルクロ商標固定具（Ｖｅｌｃｒｏ　ｂｒａｎｄ　ｆａｓｔｎｅｒ）、スナップ（ｓｎａｐ）、および／またはその他が、ハウジング１１０を電気レセプタクル１６０に接続するために適切に用いられ得る。
【００２９】
　デバイスアウトレット１３１および１３２は、概して、レセプタクル１６０内部に配置されたアウトレット１７１および１７２のタイプ（単数または複数）によって提供された機能性を再現（ｍｉｒｒｏｒ）するように構成される。電気的な必要性のためのデバイスアウトレット１３１の使用は、これにより、蒸気ディスペンスデバイス１００の目立たなさ（ｉｎｃｏｎｓｐｉｃｕｏｕｓｎｅｓｓ）を増加させる。例えば、蒸気ディスペンスデバイス１００が単に典型的なアウトレットにすぎないという幻影（ｉｌｌｕｓｉｏｎ）は、他のデバイス（例えば、ランプ、テレビジョン、時計等）が同一のアウトレットにプラグ接続されることを可能にすることによって維持される。例えば、アウトレット１７１および１７２は、多くの家庭において見出される、標準的な２つの突起型の電気的ＡＣアウトレットに対応し得る。この場合、レセプタクル１６０によって提供されるものに対して幾何学形状における位置に実質的に対応する標準的な２つの突起電気アウトレット１３１および１３２を含むようにハウジング１１０を同様に構成することは有利であり得る。
【００３０】
　デバイスアウトレット１３１および１３２は、対応するアウトレット１７１および１７２に電気的に接続され得るか、または、デバイス１００の所望の機能性を提供する、任意の適切な電気的接続形態（ｔｏｐｏｌｏｇｙ）によって構成され得る。例えば、単一のプラグ１４１は、ハウジング１１０において１より多いデバイスアウトレット（例えば、１３１および１３２）に電気的に接続されるように構成され得る。さらに、さらなるプラグが、種々の組み合わせにおいて、１以上のデバイスアウトレット（単数または複数）に電気的に接続されるように構成され得る。本発明の一実施形態では、第一のプラグ３４１は、第一のレセプタクルアウトレット１７１から２以上のデバイスアウトレット（例えば、１３１および１３２）に電力を提供するように構成される。本発明の別の例示の実施形態では、第一のプラグ３４１は、レセプタクルアウトレット１７１から第一のデバイスアウトレット２３１に電力を提供するように構成され、第二のプラグ３４２も、レセプタクルアウトレット１７２からデバイスアウトレット２３２に電力を提供するように構成される。
【００３１】
　さらに、１以上のプラグは、非機能性（すなわち、「ダミー」プラグ）であり得る。このような非機能性プラグ（これは、任意の適切なプラスチックまたは他の絶縁物質を含み得る）は、蒸気ディスペンスデバイスの構造的な支持を提供し得る。あるいは、金属物質が、回路がプラグによって形成されないように非機能性プラグが構成される程度まで非伝導プラグ用に用いられ得る。
【００３２】
　上記に言及されたように、デバイスアウトレットは、レセプタクルにおいて対応するアウトレットに直接的に接続するように構成され得る。この点で、図４は、蒸気ディスペンスデバイスハウジング４１０での使用のための例示の電気接続４００を示す。電気接続４００は、プラグ端４０１およびデバイスアウトレット端４０２を有する金属構造を含み得る。金属構造は、各電流経路に対して単一構造であり得る。プラグ端４０１は、適切な電気レセプタクル内の挿入および電気コンタクトの形成のために構成される。デバイスアウトレット４０２は、プラグを受け取り、かつ、電気コンタクトを形成するために構成される。別の例では、プラグ端４０１およびデバイスアウトレット端４０２は、ワイヤまたは他の適切な電気経路（例えば、伝導トレース（ｔｒａｃｅ）その他）によって接続され得る。
【００３３】
　ここで、図１および２をさらに参照すると、デバイスアウトレット２３１は、前部表面２１１と実質的に面一（ｆｌｕｓｈ）であるように構成され得る。他の例示のハウジング構造では、デバイスアウトレット１３１は、上げられるか、または、他の方法で前部表面２１１と非平坦であり得る。デバイスアウトレット１３１および１３２は、図８を参照して以下に記載されるような種々のタイプのプラグを受け取るように構成され得る。
【００３４】
　ここで、図１および５を参照して、電気レセプタクル１６０は、電力コードの一端上に提供されたプラグ等の電気プラグを受け取るために構成された、任意の標準的な壁アウトレット固定物（ｆｉｘｔｕｒｅ）を含み得る。示された実施形態では、電気レセプタクル１６０は、２以上のアウトレット１７１および１７２を含む。図５は、面板５６１および２以上のアウトレット（例えば、５６２および５６３）を含む、例示の電気レセプタクル５６０を示す。面板５６１は、１以上のアウトレットを露出するのに適した開口部を含み得る。面板の種々のスタイルおよび設計が用いられ得る。
【００３５】
　電気的レセプタクル１６０はまた、種々の数のアウトレットを含み得る。図６を参照すると、例示のデュアルアウトレット電気レセプタクル６００が示される。図７を参照すると、例示の４つのアウトレット電気レセプタクル７００が示される。他のアウトレット数および配置が適切に用いられ得る。デバイスアウトレット１３１の数は、ハウジング上に提供された電気レセプタクルアウトレットの数に対応しなくてもよい。例えば、２つの電気レセプタクルアウトレットがカバーされ、４つのデバイスアウトレットが使用のために提供され得る。このため、蒸気ディスペンスデバイス１００は、１つのプラグを２以上のデバイスアウトレットに分割するアダプタとして機能し得る。
【００３６】
　電気レセプタクルアウトレットおよび／またはデバイスアウトレットは、ポールおよび／または接地（ｇｒｏｕｎｄｉｎｇ）の任意の適切な構成を含み得る。この点で、図８は、例示のアウトレットにおけるポール／接地接続の例示の構成を示す。例えば、アウトレット１３１および１７１は、２ポールアウトレット８０１を含み得る。別の例では、３０アンペア、２５０ボルト定格（ｒａｔｅｄ）アウトレットが、一方のポールが他方より大きい受け取りソケットを有する２ポールアウトレット８０２を含み得る。さらなる例示のアウトレットの実施形態のセット８１０および８２０は、それぞれ、３つの受け取りソケットを含むアウトレットを有する。例えば、アウトレットは、２ポール３ワイヤ接地アウトレット８１０の一つ、または、３ポール３ワイヤアウトレット８２０の一つを含み得る。さらに、アウトレットは、３ポール４ワイヤ接地アウトレット８３０または４ポール４ワイヤアウトレット８４０等の４つのソケットを有し得る。一般に、アウトレットは、電力付与されてもされなくても、任意のタイプのアウトレットを含み得る。例えば、本発明は、電話ジャック、イーサネット（Ｒ）ジャック、同軸ジャック、その他等の１以上の通信アウトレットタイプを含むレセプタクルに適用可能である。さらに、レセプタクルが一つのみのタイプのアウトレットを含むことは必ずしも必要ではない。本発明は、アウトレットの任意の数および組み合わせを包含する。
【００３７】
　蒸気ディスペンスデバイス１００はまた、揮発物質の蒸発を増強するように構成された、芳香送達システム１２０を含む。芳香送達システム１２０は、ハウジング１１０の一部であり得るか、または、ハウジング１１０に接続するように適切に構成され得る。いずれかの実施形態では、方向送達システムは、芳香を送達するためにさらに機能している間に１以上のデバイスアウトレット１３１の使用が可能であるように構成される。
【００３８】
　本発明の一つの例示の実施形態では、ハウジングは、芳香送達システム１２０によって提供された揮発物質の加熱を促進するように構成され得る。ハウジング１１０は、芳香送達システム１２０から揮発物質を蒸発させる際において適切に支援する加熱要素を含み得る。この実施形態では、加熱要素は、抵抗タイプの加熱要素を含み得るが、一般的には、芳香送達システム１２０からの物質を蒸発させる際において支援する任意の機構が、典型的には、熱エネルギーを通じて、「加熱要素」であり得る。さらに、すぐに、本発明の種々の代替の実施形態において、蒸気ディスペンサデバイス１００は、「受動的」気化器（ｖａｐｏｒｉｚｅｒ）であり得ることが留意されるべきである。他の方法で説明されたように、芳香送達システム１２０の物質は、周囲の条件（例えば、室温）に単に露出するだけによって揮発し得る。このため、加熱要素は、必要とされない場合もある。芳香送達システム１２０はまた、例えば、ゲルおよび／または膜タイプの芳香ディスペンサ等の他の物質送達システムを含み得る。このような場合には、揮発物質は、昇華等の機構を通じて分散（ｄｉｓｐｅｎｓｅ）する「ゲル」および／または半透性固体形態中にあり得る。このため、当該技術において現在知られているまたは未だ知られていない任意の芳香送達機構が本発明において使用されるために適切に構成され得ることが理解されるべきである。
【００３９】
　加熱要素は、変化する温度に対して調整可能であるように適切に構成され得る。本発明の種々の局面によると、スイッチが、さらに、加熱要素の変化する温度を制御するように適切に構成され得る。同様に、可変の温度制御を有するディスペンサが、加熱要素によって提供された熱の強度または強さ、ユーザの所望された性能、部屋の大きさその他に応じて分配される芳香の量を増加または減少させる能力を提供し得る。
【００４０】
　種々の他の例では、ハウジング１１０および芳香送達システム１２０は、異なる役割を有し得、すなわち、ハウジング１１０および芳香送達システム１２０は、揮発のための熱を提供するために協働して働き得、および／または、芳香および加熱要素が構造上で反転され得る。さらに依然として、代替として、蒸気ディスペンスデバイス１００は、ハウジング１１０に統合された芳香送達システム１２０の全ての気化要素を有する単一の単位構造を含み得る。
【００４１】
　図９は、例示の芳香送達システム９００を示す。芳香送達システム９００は、チャンバ９１０、放出器（ｅｍｉｎａｔｏｒ）９２０、第一の芯９３１および第二の芯９３２を含む。チャンバ９１０は、そこに提供された揮発物質９５０を含むように構成される。例えば、チャンバ９１０は、液体流体リザーバとして構成され得る。この液体流体リザーバは、現在知られている気化器再充填ボトルのリザーバボトルに機能的に類似する。このような構成では、チャンバ９１０は、例えば、芳香送達システム１２０から気化される香ばしい（ｓｃｅｎｔｅｄ）オイルで満たされた中空セクションを有する。示された実施形態では、チャンバ９１０の中央領域９６０がレセプタクルへの接近を容易にするために切り取られている。
【００４２】
　放出器９２０は、揮発物質９５０を受け取り、かつ、前記物質の周期環境への分散を容易にするように構成される。例えば、放出器９２０は、揮発物質を、加熱要素によって加熱され得る領域に引っ張り得る。放出器９２０は、第一点９２１において第一の芯９３１に接続し、かつ、第二点９２２において第二の芯９３２に接続するように構成され得る。したがって、放出器９２０は、チャンバ９１０から揮発物質９５０を運ぶときにこような機構を通じて揮発可能な物質を受け取り得る。第一の芯９２２および第二の芯９３２は、例えば、グラファイト、多孔性プラスチックまたは他の繊維性物質等の多孔性物質から作製され得る。
【００４３】
　前記のように、本発明において記載された例示の実施形態によると、芳香送達システム１２０は、ハウジング１１０の形状および大きさを有するように適切に構成され、その結果、それは、蒸気ディスペンスデバイス１００の近傍の人によって気付かれる可能性を最小にすることを容易にする方法でハウジング１１０に集合され得る。例えば、本発明の例示の実施形態では、芳香送達システム１２０は、ハウジング１１０に対応する実質的に矩形状形状（標準壁アウトレット板に類似する）を有する。さらに、本発明によって記載された実施形態は、改善された安定性を適切に示し、および／または、芳香送達システム１２０との加熱要素の相互作用を（加熱要素が蒸気ディスペンスデバイス１００に含まれる程度まで）容易にし得る。
【００４４】
　レセプタクル１２０の性質にもかかわらず、−−すなわち、レセプタクル１２０が電流を供給するように構成されるかどうかおよびどの程度レセプタクル１２０が電流を供給するように構成されるか−−送達システム９００は、受動的、能動的であるか、または、能動および受動モードの間で選択的にスイッチされ得る。用語「受動的」は、この文脈では、送達デバイスに適用されたときに、芳香を送達するまたは他の方法で環境の改変を引き起こすために周囲条件に実質的に依存するデバイスをいう。このような周囲条件は、例えば、周囲の熱条件（例えば、壁構造温度および空気の温度）および周囲の空気の流れ（例えば、自由な対流並びにファン、個体、および他の実在物（ｅｎｔｉｔｙ）の移動（任意の場合）の結果として生じる空気の流れを含む。用語「能動」は、この文脈では、受動的でないデバイス、例えば、統合されたファン、加熱要素、および他のこのようなデバイスを採用するデバイスをいう。
【００４５】
　送達デバイス９００が能動デバイスである場合には、デバイスによって要求される任意の電源は、レセプタクル１２０に対して内在性であるか（例えば、標準壁アウトレットの１２０Ｖの電源）、または、レセプタクル１２０に対して外在性であり（例えば、バッテリ、太陽電池（ｓｏｌａｒ　ｃｅｌｌ）、または送達デバイス２１０に組み込まれるか他の方法で送達システム２１０に関連付けられる他のこのようなデバイスによって供給される）得る。あるいは、電力は、内在性および外在性の電源の組み合わせによって供給され得るか、および／または、以下にさらに詳細に記載される再充填成分に組み込まれ得る。
【００４６】
　送達デバイス９００は、１以上の取り外し可能に接続された再充填成分を適切に含む。すなわち、図１０Ａ−１０Ｃを参照すると、送達デバイス９００が、送達デバイス自体およびユーザによって置き換えられ得る１以上の再充填成分（または、単に「再充填」）１００２に統合された成分を含むことが有利であり得る。送達デバイス９００が換気デバイスである場合には、例えば、枯渇された再充填成分１００２は、デバイス９００から取り除かれて、そして、芳香油、蝋、ゲルその他を含む新しい再充填によって置き換えられ得る。再充填は、再充填本体およびそこに提供された揮発物質を適切に含む。
【００４７】
　本発明の一局面によると、蒸気ディスペンスデバイスが電気レセプタクルを模倣することを可能にする再充填成分が提供される。例えば、再充填は、デバイスの前部表面の後ろに挿入されるように構成され得、その結果、前部表面によって実質的に隠される。本発明の一局面によると、再充填は、ハウジングの周によって包囲される周（ｐｅｒｉｍｅｔｅｒ）を有する。
【００４８】
　本発明の別の局面によると、再充填は、レセプタクルアウトレットパターン（例えば、アウトレット５６２および５６３）を有意に妨害しないように構成される。一実施形態では、例えば、これは、レセプタクル上の１以上のアウトレット（図１０Ａ〜１０Ｃに様々に示される）を少なくとも部分的に取り囲む再充填成分１００２を提供することによって達成される。送達システムデバイスが標準電気レセプタクルと接続して用いられる場合には、再充填１００２は、アウトレットパターンの２以上の側面を包囲することが望ましい（図１０Ａ）。最も大きな可能性のある容積の揮発物質を供給することが有利である程度まで、再充填は、アウトレットパターンを完全に取り囲む矩形リングとして構成され得る（図１０Ｂ）。あるいは、再充填は、再充填１００２がデバイスからスライド可能に取り外されることを可能にするために「Ｕ」形状に構成され得る（図１０Ｃ）。
【００４９】
　壁アウトレットにプラグ接続される場合に、プラグ接続される電気アウトレット（単数または複数）を使用する性能が、ディスペンサの幾何学形状または他の要因によって低減または排除されること。
【００５０】
　複数アウトレットの蒸気ディスペンスデバイスは、電気レセプタクルと界面を形成するように構成され、その結果、該アウトレットの機能性は、実質的に維持される。本発明の一局面によると、蒸気ディスペンスデバイスは、少なくとも１つのアウトレットを有する電気レセプタクルに接続されように構成される。蒸気ディスペンスデバイスは、第一のデバイスアウトレットおよび第二のデバイスアウトレットを有するハウジングを含み、該ハウジングは、該アウトレットに付着される。
【００５１】
　本発明は、種々の例示の実施形態を参照して上記のように記載される。しかしながら、多くの変更、組み合わせおよび改変が、本発明の範囲から逸脱することなく例示の実施形態に対してなされ得る。例えば、種々の成分が、代替の方法で実行され得る。これらの代替物は、特定の用途に応じて、または、本システムの動作に結び付けられる任意数の要因を考慮して適切に選択され得る。さらに、本明細書において記載された技術が、他のタイプのデバイスを有する使用のために伸展または改変され得る。これらおとび他の変化または改変は、本発明の範囲内に含まれるように含まれることが意図される。
【図面の簡単な説明】
【００５２】
【図１】図１は、本発明の例示の実施形態に従う例示の蒸気ディスペンスデバイスをブロック図形式で示す。
【図２】図２は、本発明の例示の実施形態に従う例示のハウジングの斜視図を示す。
【図３】図３は、本発明の例示の実施形態に従う例示のハウジングの斜視図を示す。
【図４】図４は、本発明の例示の実施形態に従う例示の電気接続デバイスを示す。
【図５】図５は、本発明の例示の実施形態に従う例示の電気レセプタクルを示す。
【図６】図６は、本発明の例示の実施形態に従う例示のアウトレット配列を示す。
【図７】図７は、本発明の例示の実施形態に従う例示のアウトレット配列を示す。
【図８】図８は、本発明の例示の実施形態に従う例示のアウトレットを示す。
【図９】図９は、本発明の例示の実施形態に従う例示の芳香送達システムを示す。
【図１０】図１０は、本発明に従う例示の再充填構成を示す。
【符号の説明】
【００５３】
１００　蒸気ディスペンスデバイス
１１０　ハウジング
１２０　芳香送達システム
１３１　デバイスアウトレット
１３２　デバイスアウトレット
１４１　プラグ
１４２　プラグ
１６０　電気レセプタクル
１７１　アウトレット
１７２　アウトレット
【図１】
2004089711.tif 000003
【図２】
2004089711.tif 000004
【図３】
2004089711.tif 000005
【図４】
2004089711.tif 000006
【図５】
2004089711.tif 000007
【図６】
2004089711.tif 000008
【図７】
2004089711.tif 000009
【図８】
2004089711.tif 000010
【図９】
2004089711.tif 000011
【図１０】
2004089711.tif 000012